(57)【要約】【課題】  送信側で送信モードを誤って設定して通信エラーが発生した場合、自動に復旧できるマルチ空気調和機のデータ通信エラー復旧装置を提供する。【解決手段】  室外機と複数の室内機とを連結する通信線路を通してデータを送受信するためのマルチ空気調和機のデータ通信エラー復旧装置であって、前記室外機および室内機は、送信モードを設定するための送信イネーブル信号を出力するマイコンと;前記送信イネーブル信号により送信モードを設定し、前記通信線路に連結されて相手側とデータを送受信する通信モジュールと;前記通信モジュールにおける送信モードの設定時間が基準時間を超過すると、前記通信モジュールに印加される前記送信イネーブル信号を遮断して前記通信モジュールに設定された送信モードを解除する信号遮断部とを含む。【選択図】      図１
2006132917.tif 000002
【特許請求の範囲】
【請求項１】
室外機と複数の室内機とを連結する通信線路を通してデータを送受信するためのマルチ空気調和機のデータ通信エラー復旧装置であって、
前記室外機および室内機は、
送信モードを設定するための送信イネーブル信号を出力するマイコンと;
前記送信イネーブル信号により送信モードを設定し、前記通信線路に連結されて相手側とデータを送受信する通信モジュールと;
前記通信モジュールにおける送信モードの設定時間が基準時間を超過すると、前記通信モジュールに印加される前記送信イネーブル信号を遮断して前記通信モジュールに設定された送信モードを解除する信号遮断部とを含むマルチ空気調和機のデータ通信エラー復旧装置。
【請求項２】
前記信号遮断部は、前記送信イネーブル信号により充電を開始するとともに、充電の終了後、前記送信イネーブル信号を遮断する充電回路を含む請求項１記載のマルチ空気調和機のデータ通信エラー復旧装置。
【請求項３】
前記充電回路は、抵抗と、コンデンサと、前記コンデンサに充電電流を供給するために前記送信イネーブル信号によりターンオンになる第１トランジスタとを含む請求項２記載のマルチ空気調和機のデータ通信エラー復旧装置。
【請求項４】
前記充電回路は、前記送信イネーブル信号を接地側にバイパスする第２トランジスタをさらに含む請求項３記載のマルチ空気調和機のデータ通信エラー復旧装置。
【請求項５】
室外機に通信線路を用いて複数の室内機を連結するマルチ空気調和機のデータ通信エラー復旧装置であって、
前記室外機は、前記通信線路によって連結される第１通信モジュールと、前記第１通信モジュールに対する送信モードを設定するために送信設定信号を出力する室外機マイコンと、前記第１通信モジュールに対する送信モードを強制的に解除するために前記送信設定信号を遮断する第１信号遮断部とを含み、
前記室内機は、前記通信線路によって連結される第２通信モジュールと、前記第２通信モジュールに対する送信モードを設定するために送信設定信号を出力する室内機マイコンと、前記第２通信モジュールに対する送信モードを強制的に解除するために前記送信設定信号を遮断する第２信号遮断部とを含み、
前記第１通信モジュールが送信モードに設定されると、前記第２通信モジュールは受信モードに設定され、前記第２通信モジュールが送信モードに設定されると、前記第１通信モジュールは受信モードに設定されるマルチ空気調和機のデータ通信エラー復旧装置。
【請求項６】
前記第１及び第２信号遮断部は、該当の通信モジュールに対して設定した送信モードの設定時間が基準時間を超過すると、前記送信設定信号を遮断する請求項５記載のマルチ空気調和機のデータ通信エラー復旧装置。
【請求項７】
前記第１及び第２信号遮断部は、前記送信設定信号により充電を開始するとともに、充電の終了後、前記送信設定信号を遮断する充電回路を含む請求項６記載のマルチ空気調和機のデータ通信エラー復旧装置。
【発明の詳細な説明】
【技術分野】
【０００１】
本発明は、マルチ空気調和機のデータ通信エラー復旧装置に関するもので、詳しくは、室外機と室内機との通信過程で発生する通信エラーを復旧できるマルチ空気調和機のデータ通信エラー復旧装置に関するものである。
【背景技術】
【０００２】
一般に、マルチ空気調和機は、室外機に複数の室内機を連結して室内空間に対する空調運転を行う。
【０００３】
各室内機は、室内空間の空調負荷による要求能力を室外機に伝達し、室外機は、各室内機から受けた要求能力を合算して圧縮機の運転を制御する。このために、室外機及び室内機は、マイコン及び通信モジュールをそれぞれ備えており、予め約定された通信プロトコルによって空調運転のための運転データを相手側と送受信する。
【０００４】
マルチ空気調和機で非同期式直列通信の一つであるＲＳ４８５通信プロトコルを適用する場合、室外機および各室内機は、通信線路を共有して送信モードおよび受信モードのうちいずれか一つを選択的に行う。例えば、いずれか一方が送信モードに設定された場合、他方は受信モードに設定される。ここで、送信モードの設定は、マイコンから送信イネーブル信号を通信モジュールに印加することで行われる。
【０００５】
しかしながら、実際には送信側からデータが送信されてないが、送信モードに誤って設定された場合、相手側ではデータの受信を不要に待機すべきであって、正常に通信が行われないという問題点があった。
【０００６】
また、室外機で各室内機の通信状況をチェックするために、共通通信線路から分岐されて該当の室内機に連結される分岐線路を一々遮断しながら、エラーが発生した室内機を探すべきであって、検査時間が長引いて煩雑になるという問題点があった。
【発明の開示】
【発明が解決しようとする課題】
【０００７】
本発明は、前記のような問題点を解決するためになされたもので、送信側で送信モードを誤って設定して通信エラーが発生した場合、自動に復旧できるマルチ空気調和機のデータ通信エラー復旧装置を提供することを目的とする。
【課題を解決するための手段】
【０００８】
前記目的を達成するために、本発明によるマルチ空気調和機のデータ通信エラー復旧装置は、室外機と複数の室内機とを連結する通信線路を通してデータを送受信するためのマルチ空気調和機のデータ通信エラー復旧装置であって、前記室外機および室内機は、送信モードを設定するための送信イネーブル信号を出力するマイコンと;前記送信イネーブル信号により送信モードを設定し、前記通信線路に連結されて相手側とデータを送受信する通信モジュールと;前記通信モジュールにおける送信モードの設定時間が基準時間を超過すると、前記通信モジュールに印加される前記送信イネーブル信号を遮断して前記通信モジュールに設定された送信モードを解除する信号遮断部とを含む。
【０００９】
前記充電回路は、抵抗と、コンデンサと、前記コンデンサに充電電流を供給するために前記送信イネーブル信号によりターンオンになる第１トランジスタとを含む。
【００１０】
前記充電回路は、前記送信イネーブル信号を接地側にバイパスする第２トランジスタをさらに含む。
【００１１】
また、前記目的を達成するために、本発明によるマルチ空気調和機のデータ通信エラー復旧装置は、室外機に通信線路を用いて複数の室内機を連結するマルチ空気調和機のデータ通信エラー復旧装置であって、前記室外機は、前記通信線路によって連結される第１通信モジュールと、前記第１通信モジュールに対する送信モードを設定するために送信設定信号を出力する室外機マイコンと、前記第１通信モジュールに対する送信モードを強制的に解除するために前記送信設定信号を遮断する第１信号遮断部とを含み、前記室内機は、前記通信線路によって連結される第２通信モジュールと、前記第２通信モジュールに対する送信モードを設定するために送信設定信号を出力する室内機マイコンと、前記第２通信モジュールに対する送信モードを強制的に解除するために前記送信設定信号を遮断する第２信号遮断部とを含み、前記第１通信モジュールが送信モードに設定されると、前記第２通信モジュールは受信モードに設定され、前記第２通信モジュールが送信モードに設定されると、前記第１通信モジュールは受信モードに設定される。
【００１２】
前記第１及び第２信号遮断部は、該当の通信モジュールに対して設定した送信モードの設定時間が基準時間を超過すると、前記送信設定信号を遮断する。
【００１３】
前記第１及び第２信号遮断部は、前記送信設定信号により充電を開始するとともに、充電の終了後、前記送信設定信号を遮断する充電回路を含む。
【発明の効果】
【００１４】
本発明は、通信エラーによって通信できない不要な待機時間を減少し、室外機で室内機全体に対する通信状況を迅速かつ簡便に検査できるという効果がある。
【発明を実施するための最良の形態】
【００１５】
以下、本発明によるマルチ空気調和機のデータ通信エラー復旧装置を図面に基づいて説明する。
【００１６】
本発明によるマルチ空気調和機のデータ通信エラー復旧装置は、図１に示すように、通信線路Ｌ１,Ｌ２を介して室外機１００に複数の室内機２００-１,２００-２,２００-３を連結する。室外機は、室外機マイコン１１０および通信モジュール１２０を備えており、各室内機は、室内機マイコン２１０および通信モジュール２２０を備えている。
【００１７】
室外機は、通信線路を通して各室内機とデータを送受信し、非同期式直列通信の一つであるＲＳ４８５通信プロトコルを適用する場合、室外機および室内機は、必要に応じて送信モードおよび受信モードを変えてデータを取り交す。このとき、いずれか一方が送信モードに設定されると、通信線路を占有することになり、相手側は受信モードに設定される。すなわち、室外機や室内機のいずれにおいても、自身が送信モードに設定された場合のみにデータを送信することができ、相手側が送信モードに設定されると、自身は受信モードに設定される。
【００１８】
送信モードの設定は、自身のマイコンから送信イネーブル信号を通信モジュールに印加することで行われ、送信イネーブル信号が遮断されると、送信モードから受信モードに自動に切り換えられる。
【００１９】
送信側で送信モードに誤って設定された場合、自動的に送信モードを解除するために、本発明は、送信イネーブル信号を遮断する信号遮断部１３０,２３０を含む。
【００２０】
信号遮断部１３０,２３０は、送信モードの持続時間が基準時間を超過すると、強制的に送信イネーブル信号を遮断する役割をしており、それは、室外機および室内機のいずれに適用しても実質的に同一である。図２は、室外機に適用した信号遮断部の詳細な構成例である。
【００２１】
図２に示すように、信号遮断部１３０は、室外機マイコン１１０の送信イネーブル端子ＴＥに一側が連結され、通信モジュール１２０の否定レシーブイネーブル端子/ＲＥ及びデータイネーブル端子ＤＥに他側が連結されたプールアップ抵抗Ｒ１を備える。ここで、プールアップ抵抗Ｒ１には、バイパス回路を並列に連結し、バイパス回路は、第１トランジスタＴＲ１と、第２トランジスタＴＲ２と、抵抗Ｒ２,Ｒ３と、コンデンサＣと、ダイオードＤと、から構成される。このような信号遮断部１３０の構成は、室内機の信号遮断部２３０の構成と同一である。
【００２２】
図３の第１区間Ｐ１は，正常に通信する場合であって、室外機１００および各室内機２００-１,２００-２,２００-３のうちいずれか一方が送信モードに設定され、他方の相手側が受信モードに設定されて正常にデータを送受信する。
【００２３】
図３の第２区間Ｐ２は、室外機側が送信モードに設定された後、非正常に送信モードが持続することで、強制的に送信モードを解除した場合である。時点Ｔ１では、室外機マイコン１１０の送信イネーブル端子から“ハイ（High）”状態の信号を通信モジュール１２０の否定レシーブイネーブル端子/ＲＥ及びデータイネーブル端子ＤＥに共通に印加する。このとき、室外機が送信モードに設定され、相手側の室内機２００-１,２００-２,２００-３が受信モードに設定される。室外機マイコン１１０は、マイコン１１０の送信端子Ｔｘを通して通信モジュール１２０の受信端子Ｒｘにデータを伝達し、このデータは、通信線路Ｌ１,Ｌ２を通して相手側の室内機２００-１,２００-２,２００-３に送信される。
【００２４】
室外機マイコン１１０の送信イネーブル端子から出力する“ハイ”状態の信号をベース端を通して受けた第１トランジスタＴＲ１がターンオンになると、駆動電源Ｖｃｃに連結された抵抗Ｒ２及びダイオードＤを通して充電電流が流れることで、コンデンサＣで充電が開始される。
【００２５】
コンデンサＣが充電する間、室外機マイコン１１０から出力する“ハイ”信号の持続時間が基準時間を超過すると、コンデンサＣの充電電圧が設定電圧に到達し、この時点からコンデンサＣが放電される。このとき、コンデンサＣと第２トランジスタＴＲ２との間の接続点電圧Ｖaは、第２トランジスタＴＲ２のベース端に印加され、第２トランジスタＴＲ２がターンオンになる。次いで、第２トランジスタＴＲ２がターンオンになると、送信イネーブル端子ＴＥから出力する“ハイ”信号は、接地側にバイパスされる。よって、図４に示すように、通信モジュール１２０の否定レシーブイネーブル端子/ＲＥ及びデータイネーブル端子ＤＥに“ロー（Low）”信号が印加され、室外機は受信モードに自動に切り換えられる。
【００２６】
ここで、基準時間は、抵抗Ｒ２およびコンデンサＣの時定数により決定されるが、基準時間が短いと、データの送信時間に制約を受け、基準時間が長いと、送信終了後、待機時間が不要に長引くので、多数の試験を経て適切に設定する。
【００２７】
第３区間Ｐ３は、通信エラーの復旧後、第１区間Ｐ１と同様に正常に通信する場合であって、受信モードに切り換えられた室外機マイコン１１０では、通信線路Ｌ１,Ｌ２を通して受信したデータを受け、これに応答するデータを送信する必要があれば、前述したように、送信イネーブル端子ＴＥから“ハイ”信号を出力し、送信モードに切り換えた状態でデータを送信する。
【００２８】
前記信号遮断部は、各室内機に適用しており、該当の室内機から通信エラーが発生するとしても、信号遮断部により通信エラーを自動的に復旧して相手側と通信することができる。そのため、電源の供給時、室外機で室内機全体を対象にテストデータを取り交す動作を無難に行って各室内機の通信状況をチェックすることができ、従来のように各室内機に連結された通信線路を遮断する作業が不要になる。
【００２９】
以上説明したように、本発明は、送信側で送信モードが非正常に持続されると、マイコンから通信モジュールに出力する送信イネーブル信号を遮断して送信モードを解除することで、室外機と室内機との間の正常な通信を可能にする。よって、本発明は、通信エラーによって通信できない不要な待機時間を減少し、室外機で室内機全体に対する通信状況を迅速かつ簡便に検査することができる。
【図面の簡単な説明】
【００３０】
【図１】本発明によるマルチ空気調和機のデータ通信エラー復旧装置の構成を説明するための図である。
【図２】室外機に適用した本発明の信号遮断部の構成を説明するための図である。
【図３】室外機から発生した通信エラーの復旧動作を説明するための図である。
【図４】図３の通信エラー復旧時の各部の動作状態を示した表である。
【符号の説明】
【００３１】
１００  室外機
２００-１,２００-２,２００-３  室内機
１１０  室外機マイコン
２１０  室内機マイコン
１２０,２２０  通信モジュール
１３０,２３０  信号遮断部
【図１】
2006132917.tif 000003
【図２】
2006132917.tif 000004
【図３】
2006132917.tif 000005
【図４】
2006132917.tif 000006